(57)【要約】【課題】  球誘導片に遊技球が衝当しても可動翼片が傾動位置側に回動することがなく、また、可動翼片の傾動角度の変更に容易に対応し得る可変入賞装置を備えたパチンコ遊技機を提供する。【解決手段】  球誘導片３６，３６を、可動翼片１５，１５の回動に連係手段３８，３８を介して連動させて、可動翼片１５，１５が起立位置に回動したとき、球誘導片３６，３６を斜め下方に突出する位置に変換し、可動翼片１５，１５が傾動位置に回動したとき、球誘導片３６，３６を該可動翼片１５，１５の傾動位置と略一致する位置に変換するようにした。これにより、斜め下方に突出する位置に変換された球誘導片３６，３６の上面に遊技球が衝当すると、可動翼片１５，１５には起立位置からさらに内方に回動する方向の力が伝達されるので、遊技球の衝当による衝撃力で可動翼片１５，１５が傾動位置側に回動することがない。また、球誘導片３６，３６が可動翼片１５，１５と別体形成されているので、可動翼片１５，１５の傾動角度を容易に変更することができる。【選択図】  図４
2005034425.tif 000002
【特許請求の範囲】
【請求項１】
球流入孔の左右両側で、基部が第一の支軸によって回動可能に軸支された左右一対の可動翼片が、起立位置と、逆ハ字形に外側方に拡開する傾動位置とに変換制御される可変入賞装置を備えてなるパチンコ遊技機において、
前記第一の支軸の近傍位置に、第二の支軸を夫々配設し、該第二の支軸に夫々の基部を回動可能に軸支した左右一対の球誘導片を、前記可動翼片の回動に連係手段を介して連動させて、可動翼片が起立位置に回動したとき、球誘導片を斜め下方に突出する位置に変換し、可動翼片が傾動位置に回動したとき、球誘導片を該可動翼片の傾動位置と略一致する位置に変換するようにした可変入賞装置を備えてなることを特徴とするパチンコ遊技機。
【請求項２】
連係手段が、可動翼片の基部に形成された、第一の支軸と略同心状の外周カム面と該外周カム面に径方向で直交する端部カム面とを備えてなるカム主体と、球誘導片の第二の支軸よりも内側基端位置に形成された当接面とからなり、可動翼片の起立位置で端部カム面が当接面に当接して球誘導片を斜め下方に突出する位置に保持し、可動翼片が傾動位置に回動するとき、端部カム面が当接面を押圧して球誘導片を上方に回動させるとともに、端部カム面から外れた当接面を外周カム面で支持して球誘導片を可動翼片の傾動位置と略一致する位置に保持するカム機構であることを特徴とする請求項１記載のパチンコ遊技機。
【請求項３】
連係手段が、可動翼片の基部に第一の支軸と同心状に形成された駆動歯車部と、球誘導片の基部に第二の支軸と同心状に形成されて前記駆動歯車部に噛合する従動歯車部とからなり、該従動歯車部と前記駆動歯車部との歯車比が、可動翼片が起立位置に回動したとき、球誘導片を斜め下方に突出する位置に変換し、かつ可動翼片が傾動位置に回動したとき、球誘導片を該可動翼片の傾動位置と略一致する位置に変換する比率に設定された歯車機構であることを特徴とする請求項１記載のパチンコ遊技機。
【発明の詳細な説明】
【技術分野】
【０００１】
本発明は、可変入賞装置を備えたパチンコ遊技機に関する。
【背景技術】
【０００２】
パチンコ遊技機の遊技盤面に配設される可変入賞装置にあって、球流入孔の左右両側で、基部が支軸によって回動可能に軸支された左右一対の可動翼片を、上方に立ち上がる起立位置と、逆ハ字形に外側方に拡開する傾動位置とに変換制御するように構成した可変入賞装置が知られている。
【０００３】
かかる可変入賞装置ａにおいて、図１０（イ）に示すように、支軸ｄ，ｄにより軸支された左右一対の可動翼片ｂ，ｂの外側面に、該可動翼片ｂ，ｂの起立位置で斜め下方に突出する球誘導片ｃ，ｃを一体形成し、可動翼片ｂ，ｂが傾動位置に変換されると、球誘導片ｃ，ｃを遊技球に影響を及ばさない下方位置（同図に二点鎖線で示す、チャッカーｅの側壁部ｆ，ｆに当接する位置）に変位させるようにしたものがある（例えば、特許文献１参照）。この球誘導片ｃ，ｃは、斜め下方に突出する状態で、可動翼片ｂ，ｂの外側面に沿って流下する遊技球に衝当してその流下方向を側方に変えるためのものであり、可動翼片ｂ，ｂが起立位置にあるときと、傾動位置にあるときとで、その近傍を流下する遊技球の流下方向に変化を生じさせ得るようになっている。
【特許文献１】実公平１−１９９８１号公報
【発明の開示】
【発明が解決しようとする課題】
【０００４】
ところで、上記のように可動翼片ｂ，ｂの外側面に球誘導片ｃ，ｃを一体形成したものにあっては、支軸ｄを中心として可動翼片ｂと球誘導片ｃとが一体で回動するため、可動翼片ｂ，ｂの起立位置で斜め下方に突出する球誘導片ｃ，ｃの上面に遊技球が衝当して、該球誘導片ｃ，ｃを下方に回動させる衝撃力が作用すると、その衝撃力によって起立位置にある可動翼片ｂ，ｂが傾動位置側に回動してしまうという問題点があった。
【０００５】
また、可動翼片ｂの傾動角度と球誘導片ｃの斜め下方への突出角度位置との関係は一体形成により一義的に決まっているため、可動翼片ｂの傾動角度を容易に変更することができなかった。即ち、図１０（イ）に示す傾動角度αに設定された可動翼片ｂを、さらに大きな傾動角度βに変更しようとしても、球誘導片ｃがチャッカーｅの側壁部ｆに当接するため、このままでは傾動角度βに変更できない。従って、図１０（ロ）に示すように、可動翼片ｂが傾動角度βまで回動し得るように、球誘導片ｃを外側方に偏倚させて形成すると、可動翼片ｂ，ｂが起立位置に変換された状態（図１０（ロ）に二点鎖線で示す状態）では、該球誘導片ｃが正規の突出角度位置（図１０（ロ）に一点鎖線で示す位置）から上方にずれてしまい、所期の球誘導作用が得られなくなる。このため、遊技盤面に配設される障害釘の配列による球流路や下方に配設される大入賞口を備えた変動入賞装置等からなるゲージ構成まで変更しなければならず、可動翼片ｂの傾動角度の変更を容易になし得ないという問題点があった。
【０００６】
本発明は、かかる従来の問題点を解消し得る可変入賞装置を備えたパチンコ遊技機を提供することを目的とするものである。
【課題を解決するための手段】
【０００７】
本発明は、球流入孔の左右両側で、基部が第一の支軸によって回動可能に軸支された左右一対の可動翼片が、起立位置と、逆ハ字形に外側方に拡開する傾動位置とに変換制御される可変入賞装置を備えてなるパチンコ遊技機において、前記第一の支軸の近傍位置に、第二の支軸を夫々配設し、該第二の支軸に夫々の基部を回動可能に軸支した左右一対の球誘導片を、前記可動翼片の回動に連係手段を介して連動させて、可動翼片が起立位置に回動したとき、球誘導片を斜め下方に突出する位置に変換し、可動翼片が傾動位置に回動したとき、球誘導片を該可動翼片の傾動位置と略一致する位置に変換するようにした可変入賞装置を備えてなることを特徴とするパチンコ遊技機である（請求項１）。
【０００８】
前記連係手段としては、可動翼片の基部に形成された、第一の支軸と略同心状の外周カム面と該外周カム面に径方向で直交する端部カム面とを備えてなるカム主体と、球誘導片の第二の支軸よりも内側基端位置に形成された当接面とからなり、可動翼片の起立位置で端部カム面が当接面に当接して球誘導片を斜め下方に突出する位置に保持し、可動翼片が傾動位置に回動するとき、端部カム面が当接面を押圧して球誘導片を上方に回動させるとともに、端部カム面から外れた当接面を外周カム面で支持して球誘導片を可動翼片の傾動位置と略一致する位置に保持するカム機構が提案される（請求項２）。
【０００９】
また、他の連係手段としては、可動翼片の基部に第一の支軸と同心状に形成された駆動歯車部と、球誘導片の基部に第二の支軸と同心状に形成されて前記駆動歯車部に噛合する従動歯車部とからなり、該従動歯車部と前記駆動歯車部との歯車比が、可動翼片が起立位置に回動したとき、球誘導片を斜め下方に突出する位置に変換し、かつ可動翼片が傾動位置に回動したとき、球誘導片を該可動翼片の傾動位置と略一致する位置に変換する比率に設定された歯車機構が提案される（請求項３）。
【発明の効果】
【００１０】
本発明は、上述したように、左右一対の可動翼片の基部を回動可能に軸支する第一の支軸の近傍位置に、第二の支軸を夫々配設し、該第二の支軸に夫々の基部を回動可能に軸支した左右一対の球誘導片を、前記可動翼片の回動に連係手段を介して連動させて、可動翼片が起立位置に回動したとき、球誘導片を斜め下方に突出する位置に変換し、可動翼片が傾動位置に回動したとき、球誘導片を該可動翼片の傾動位置と略一致する位置に変換するようにした可変入賞装置を備えてなるパチンコ遊技機であるから（請求項１）、可動翼片と別体形成された球誘導片は、連係手段を介して可動翼片の回動に連動し、可動翼片が起立位置に回動したとき、斜め下方に突出する位置に変換され、可動翼片が傾動位置に回動したとき、該可動翼片の傾動位置と略一致する位置に変換される。即ち、可動翼片の回動方向に対して球誘導片が逆方向に回動する。これにより、斜め下方に突出する位置に変換された球誘導片の上面に遊技球が衝当して、該球誘導片を下方に回動させる衝撃力が作用しても、可動翼片には起立位置からさらに内方に回動する方向の力が伝達されるため、起立位置にある可動翼片が前記衝撃力によって傾動位置側に回動してしまうことがない。
【００１１】
また、球誘導片が可動翼片と別体形成されているので、可動翼片の傾動角度を変更することが容易であり、可動翼片の傾動角度を変更しても、連係手段を介して球誘導片を所定の突出角度位置に変換し得るため、ゲージ構成を変更する必要がない。
【００１２】
さらに、従来では左右二枚の可動翼片が回動するだけであったが、本発明においては、可変入賞装置の開閉作動によって左右の可動翼片と、左右の球誘導片とからなる計四枚から六枚の部材が回動するので、可変入賞装置の開閉作動を遊技者に視覚的に強く訴えることができ、遊技者を楽しませることができる。
【００１３】
前記連係手段を、可動翼片の基部に形成された、第一の支軸と略同心状の外周カム面と該外周カム面に径方向で直交する端部カム面とを備えてなるカム主体と、球誘導片の第二の支軸よりも内側基端位置に形成された当接面とからなり、可動翼片の起立位置で端部カム面が当接面に当接して球誘導片を斜め下方に突出する位置に保持し、可動翼片が傾動位置に回動するとき、端部カム面が当接面を押圧して球誘導片を上方に回動させるとともに、端部カム面から外れた当接面を外周カム面で支持して球誘導片を可動翼片の傾動位置と略一致する位置に保持するカム機構とする構成（請求項２）にあっては、該カム機構により、球誘導片が可動翼片に連係され、該球誘導片を可動翼片の回動に確実に連動させることができる。特に、この構成は、端部カム面による当接面の押圧で上方に回動させた球誘導片を、引き続き該当接面を支持する外周カム面によって上方回動位置に保持することができ、このように当接面を外周カム面で支持した状態にあっては、可動翼片のそれ以上の回動量に拘わらず、球誘導片がその上方回動位置に保持される。これにより、可動翼片の傾動角度の変更に容易に対応することができる。
【００１４】
また、前記連係手段を、可動翼片の基部に第一の支軸と同心状に形成された駆動歯車部と、球誘導片の基部に第二の支軸と同心状に形成されて前記駆動歯車部に噛合する従動歯車部とからなり、該従動歯車部と前記駆動歯車部との歯車比が、可動翼片が起立位置に回動したとき、球誘導片を斜め下方に突出する位置に変換し、かつ可動翼片が傾動位置に回動したとき、球誘導片を該可動翼片の傾動位置と略一致する位置に変換する比率に設定された歯車機構とする構成（請求項３）にあっても、該歯車機構により、球誘導片が可動翼片に連係され、該球誘導片を可動翼片の回動に確実に連動させることができる。
【発明を実施するための最良の形態】
【００１５】
以下に、本発明を第一種パチンコ遊技機に適用した第一実施例を、図１〜図６に基づいて説明する。
【００１６】
パチンコ遊技機の遊技盤１には、図１に示すように、その遊技盤面２上に略円形の誘導レール３で囲繞された遊技領域４が設けられており、該遊技領域４の略中央にセンターケース５が配設されている。このセンターケース５には、液晶表示器，ＣＲＴ表示器等からなる図柄表示装置６が組み付けられており、該図柄表示装置６の表示画面７には、三つの特別図柄Ａ，Ｂ，Ｃが変動表示される。また、表示画面７の一部領域には、普通図柄表示部９が設けられており、該普通図柄表示部９には右図柄と左図柄からなる二つの普通図柄Ｅ1 ，Ｅ2 が変動表示される。この普通図柄Ｅ1 ，Ｅ2 は、「７」と「−」の二種類の図柄で構成されており、右図柄及び左図柄ともに「７」が停止する当り図柄態様が確定表示された場合には、後述する可変入賞装置１３の可動翼片１５，１５が開閉駆動される。
【００１７】
一方、センターケース５の左右両側には、普通図柄始動ゲート（普通図柄始動領域）１２，１２が配設されており、遊技球の通過により、この普通図柄始動ゲート１２，１２が具備する普通図柄始動スイッチ（図示省略）から遊技球検出信号が発生すると、前記普通図柄表示部９の普通図柄Ｅ1 ，Ｅ2 が変動し、所定時間経過後に停止して種々の組み合わせの図柄態様が表示されることとなる。
【００１８】
また、センターケース５の直下位置には、左右一対の可動翼片１５，１５により入賞口を兼ねた入り口の開口度を変化させるようにした可変入賞装置１３が配設されている。そして前記普通図柄表示部９の表示結果が所定の当り図柄態様の場合には、ソレノイド２６（図２参照）を駆動源とする可動翼片１５，１５が所定時間、外側方に拡開されて、内部の球流入孔１４に遊技球が入り易い状態となる。遊技球の入賞により、この球流入孔１４が具備する特別図柄始動スイッチ（図示省略）から遊技球検出信号が発生すると、前記図柄表示装置６の表示画面７に特別図柄Ａ，Ｂ，Ｃを変動表示する図柄生成行程が実行されることとなる。この可変入賞装置１３は本発明の要部にかかるものであり、詳しくは後述する。
【００１９】
さらに、可変入賞装置１３の下方には、内部に特定領域と一般領域とを有する大入賞口２０を備え、かつ、横長矩形状の開閉片２１を図示しないソレノイド等の駆動源によって前後方向に開閉制御することにより、大入賞口２０を開放状態と閉鎖状態とに変換する変動入賞装置２２が配設されている。そして、前記図柄表示装置６の表示画面７に変動表示される特別図柄Ａ，Ｂ，Ｃが、所定の組み合わせの当り図柄態様で確定表示された場合に大当たりとしての特別遊技作動が実行され、開閉片２１が所定の開閉態様で開閉駆動される。
【００２０】
次に、本発明の要部である可変入賞装置１３について説明する。
可変入賞装置１３は、遊技盤面２に取り付けられるベース板２３を備えており、該ベース板２３の略中央には、図２に示すように、球流入孔１４が形成されている。また、ベース板２３にはその前面側に、前壁部２４ａと円弧状の下部周壁部２４ｂとを備えたカバー体２４が配設されており、該カバー体２４の前壁部２４ａと下部周壁部２４ｂとによってベース板２３の前方及び下半部分が覆われている。該カバー体２４の前壁部２４ａの裏面には、球流入孔１４の左右両側に位置させて第一の支軸２５，２５が後方に向けて突成されており、該支軸２５，２５によって左右一対の可動翼片１５，１５の基部が回動可能に軸支されている。ここで、両可動翼片１５，１５は、単葉ではなく複葉となるように夫々後部側翼片２７ａと前部側翼片２７ｂとに分割形成されており、前部側翼片２７ｂの基部に形成した連結孔２８に、後部側翼片２７ａの基部に形成した略円筒状連結部２９を嵌挿させた状態で、該略円筒状連結部２９が前記支軸２５に外嵌されている。また、この略円筒状連結部２９と連結孔２８の周面の一部には相互に係合する回り止め用の突条３０と条溝３１とが支軸２５の軸線方向に沿って形成されており、これによって、後部側翼片２７ａと前部側翼片２７ｂとが一体的に回動するようになっている。
【００２１】
また、両後部側翼片２７ａ，２７ａの裏面には、前記支軸２５，２５より内方に偏倚する位置に作動杆３２，３２が後方に向けて突成されている。該作動杆３２，３２は、ベース板２３の裏面側に配設されたソレノイド２６のプランジャ３３にリンク部材３４を介して連繋されており、該ソレノイド２６のＯＮ作動によりプランジャ３３が引き込まれると、支軸３４’を支点として回動するリンク部材３４を介して、図３（ロ）に示すように、可動翼片１５，１５が逆ハ字形に外側方に拡開する傾動位置に変換され、また、ソレノイド２６がＯＦＦとなりプランジャ３３がバネ付勢により押し出されると、リンク部材３４の回動を介して、図３（イ）に示すように、可動翼片１５，１５が上方に立ち上がる起立位置に変換される。
【００２２】
また、ベース板２３には、前記第一の支軸２５，２５に対して下方外側位置となる近傍位置に第二の支軸３５，３５が前方に向けて突成されており、該支軸３５，３５によって、左右一対の球誘導片３６，３６の基部が回動可能に軸支されている。この球誘導片３６，３６は、夫々各後部側翼片２７ａと前部側翼片２７ｂ間に配設されており、該後部側翼片２７ａと前部側翼片２７ｂとからなる各可動翼片１５，１５の回動に連係手段３８，３８を介して連動し、可動翼片１５，１５が起立位置に回動したとき、球誘導片３６，３６が斜め下方に突出する位置（図４（イ）参照）に変換され、可動翼片１５，１５が傾動位置に回動したとき、球誘導片３６，３６が該可動翼片１５，１５の傾動位置と略一致する位置（図４（ロ）参照）に変換されるように設けられている。ここで、球誘導片３６，３６は、可動翼片１５，１５の傾動位置と略一致する位置に変換された状態では、遊技球に影響を及ぼすことはなく、斜め下方に突出する位置に変換された状態では、可動翼片１５，１５の外側面に沿って流下する遊技球に衝当してその流下方向を側方に変え得る所定角度に設定されている。
【００２３】
この第一実施例では前記連係手段３８，３８がカム機構によって構成されている。該カム機構は、図２，図４，図５等に示すように、各可動翼片１５，１５の基部に形成された、第一の支軸２５と略同心状の外周カム面３９ａと該外周カム面３９ａに径方向で直交する端部カム面３９ｂとを備えてなるカム主体３９と、各球誘導片３６，３６の第二の支軸３５よりも内側基端位置に形成された当接面４０とからなる。そして、図４（イ），図５（イ）に示すように、可動翼片１５，１５の起立位置で端部カム面３９ｂが当接面４０に当接して球誘導片３６，３６を斜め下方に突出する位置に保持する一方、可動翼片１５，１５が傾動位置に回動するとき、端部カム面３９ｂが当接面４０を押圧して球誘導片３６，３６を上方に回動させるとともに、図４（ロ），図５（ロ）に示すように、端部カム面３９ｂから外れた当接面４０を外周カム面３９ａで支持して球誘導片３６，３６を可動翼片１５，１５の傾動位置と略一致する位置に保持するようになっている。
【００２４】
図６（イ），（ロ）は、上記のように構成された可変入賞装置１３を遊技盤面２に配設し、その下方に大入賞口２０を備えた変動入賞装置２２を配設するとともに、前記可変入賞装置１３の周囲に多数の障害釘４１によって大入賞口２０に通じる球流路４２，４２を形成したゲージ構成の一例を示すものである。
【００２５】
このようなゲージ構成の場合、図６（イ）に示すように、可動翼片１５，１５が傾動位置にあるとき、該可動翼片１５，１５の傾動位置と略一致する位置に球誘導片３６，３６が変換されるので、球流路４２，４２が開放されて、大入賞口２０へより多くの遊技球が入賞可能となる。一方、図６（ロ）に示すように、可動翼片１５，１５が起立位置にあるとき、球誘導片３６，３６が斜め下方に突出する位置に変換されるので、球流路４２，４２が閉鎖されることとなり、可動翼片１５，１５の外側面を流下する遊技球は、球誘導片３６，３６の上面に衝当してその流下方向が外側方に変わるため、大入賞口２０への入賞が困難となる。
【００２６】
かかる構成にあって、カム機構により、球誘導片３６，３６が可動翼片１５，１５に連係され、該球誘導片３６，３６を可動翼片１５，１５の回動に確実に連動させることができる。また、可動翼片１５，１５が起立位置に変換され、これによって球誘導片３６，３６が斜め下方に突出する位置に変換された状態において、遊技球が該球誘導片３６，３６の上面に衝当して、該球誘導片３６，３６を下方に回動させる衝撃力が作用すると、該球誘導片３６，３６の各当接面４０に当接している端部カム面３９ｂ（図４（イ）参照）を介して、可動翼片１５，１５には起立位置からさらに内方に回動する方向の力が伝達されるため、起立位置にある可動翼片１５，１５が前記衝撃力によって傾動位置側に回動することがない。
【００２７】
また、可動翼片１５，１５の傾動角度を、図４（ロ）に鎖線で示すように、さらに大きな傾動角度に変更する場合、図４（ロ）に示すように、球誘導片３６，３６の当接面４０，４０が外周カム面３９ａ，３９ａで支持されているので、可動翼片１５，１５のそれ以上の回動量に拘わらず、球誘導片３６，３６がその上方回動位置に保持される。これにより、可動翼片１５，１５の傾動角度の変更に容易に対応することができる。従って、従来のようにゲージ構成を変更する必要がない。
【００２８】
図７（イ），（ロ）は第二実施例を示し、この第二実施例は、前記球誘導片３６，３６を可動翼片１５，１５の回動に連動させる連係手段３８，３８を、歯車機構によって構成したものである。該歯車機構は、各可動翼片１５，１５の基部に第一の支軸２５と同心状に形成された駆動歯車部４３と、各球誘導片３６の基部に第二の支軸３５と同心状に形成されて前記駆動歯車部４３に噛合する従動歯車部４４とからなる。また、該従動歯車部４４と前記駆動歯車部４３との歯車比は、可動翼片１５，１５が起立位置に回動したとき、図７（イ）に示すように、球誘導片３６，３６を斜め下方に突出する所定位置に変換し、かつ可動翼片１５，１５が傾動位置に回動したとき、図７（ロ）に示すように、球誘導片３６，３６を該可動翼片１５，１５の傾動位置と略一致する位置に変換し得る比率に設定されている。その他の構成は第一実施例と同じであり、同一部分に同一符号を付して重複する説明を省略する。
【００２９】
かかる構成にあっても、歯車機構により、球誘導片３６，３６が可動翼片１５，１５に連係され、該球誘導片３６，３６を可動翼片１５，１５の回動に確実に連動させることができる。また、球誘導片３６，３６が斜め下方に突出する位置に変換された状態（図７（イ）参照）において、該球誘導片３６，３６の上面に遊技球が衝当して、該球誘導片３６，３６を下方に回動させる衝撃力が作用すると、従動歯車部４４と駆動歯車部４３との噛合を介して、可動翼片１５，１５には起立位置からさらに内方に回動する方向の力が伝達されるため、起立位置にある可動翼片１５，１５が前記衝撃力によって傾動位置側に回動することがない。
【００３０】
また、可動翼片１５，１５の傾動角度を、図７（ロ）に鎖線で示すように、さらに大きな傾動角度に変更する場合、従動歯車部４４と駆動歯車部４３との噛合を介して、可動翼片１５，１５の増加傾動量に球誘導片３６，３６が追従する。これにより、可動翼片１５，１５の傾動角度の変更に容易に対応することができ、従来のようにゲージ構成を変更する必要がない。
【００３１】
尚、上述した第一実施例及び第二実施例では、各可動翼片１５，１５を後部側翼片２７ａと前部側翼片２７ｂとに分割形成した例を示したが、これに代えて、図８に示す変形実施例のように、各可動翼片１５，１５を前後二片に分割することなく一体形成することも可能である。また、図９に示す他の変形実施例のように、各可動翼片１５，１５を前後二片に分割することなく一体形成するとともに、該可動翼片１５，１５が傾動位置に回動したとき、球誘導片３６，３６を各可動翼片１５，１５の外側面に重ね合わせるように設けてもよい。この二つの変形実施例の場合、可動翼片１５，１５に球誘導片３６，３６をさらに内方に回動させ得る凹部を予め形成しておくことにより、可動翼片１５，１５の傾動角度の変更に容易に対応し得るものとなる。
【図面の簡単な説明】
【００３２】
【図１】本発明にかかるパチンコ遊技機の遊技盤１を示す正面図である。
【図２】第一実施例の可変入賞装置１３を示す分解斜視図である。
【図３】（イ）は可動翼片１５，１５が起立位置にある状態、（ロ）は可動翼片１５，１５が傾動位置にある状態を夫々示す可変入賞装置１３の斜視図である。
【図４】カム機構からなる連係手段３８で連係された可動翼片１５，１５と球誘導片３６，３６の構成を示し、（イ）は可動翼片１５，１５が起立位置にある状態、（ロ）は可動翼片１５，１５が傾動位置にある状態の縦断正面図である。
【図５】カム機構からなる連係手段３８で連係された可動翼片１５，１５と球誘導片３６，３６の構成を示し、（イ）は可動翼片１５，１５が起立位置にある状態、（ロ）は可動翼片１５，１５が傾動位置にある状態の縦断斜視図である。
【図６】ゲージ構成の一例を示し、（イ）は可動翼片１５，１５が傾動位置にある状態、（ロ）は球誘導片３６，３６が斜め下方に突出する位置に変換された状態の正面図である。
【図７】第二実施例の歯車機構からなる連係手段３８で連係された可動翼片１５，１５と球誘導片３６，３６の構成を示し、（イ）は可動翼片１５，１５が起立位置にある状態、（ロ）は可動翼片１５，１５が傾動位置にある状態の縦断正面図である。
【図８】変形実施例の可変入賞装置１３を示し、（イ）は可動翼片１５，１５が起立位置にある状態、（ロ）は可動翼片１５，１５が傾動位置にある状態の斜視図である。
【図９】他の変形実施例の可変入賞装置１３を示し、（イ）は可動翼片１５，１５が起立位置にある状態、（ロ）は可動翼片１５，１５が傾動位置にある状態の斜視図である。
【図１０】（イ）は従来構成の可変入賞装置ａ、（ロ）は該可変入賞装置ａの球誘導片ｃを外側方に偏倚させて形成した状態を夫々示す正面図である。
【符号の説明】
【００３３】
１３  可変入賞装置
１４  球流入孔
１５  可動翼片
２５  第一の支軸
３５  第二の支軸
３６  球誘導片
３８  連係手段
３９ａ  外周カム面
３９ｂ  端部カム面
３９  カム主体
４０  当接面
４３  駆動歯車部
４４  従動歯車部
【図１】
2005034425.tif 000003
【図２】
2005034425.tif 000004
【図３】
2005034425.tif 000005
【図４】
2005034425.tif 000006
【図５】
2005034425.tif 000007
【図６】
2005034425.tif 000008
【図７】
2005034425.tif 000009
【図８】
2005034425.tif 000010
【図９】
2005034425.tif 000011
【図１０】
2005034425.tif 000012